(57)【要約】【課題】土石を中詰めして護岸等の構造物とする土石詰め組枠であって、底部と蓋部とを有し、仕切りパネルを省くことが可能な、構成部材の種類が少ない低コストな土石中詰め組枠を得る。【解決手段】長方形の土石中詰め組枠用パネルにおいて、他パネルと組合せる際に、別体の連結部材を用いて連結可能な継ぎ手構造を、向かい合う短辺に１組配設し、長辺に向かい合うように交互にｎ組（ｎは自然数）配設する。また、１の穴継ぎ手に２以上の穴を設置して、穴継ぎ手の中心軸が同軸上にないパネル同士を、鉤状部を形成した棒状体により連結して組枠とする。さらに、穴継ぎ手にピンを挿入して連結する組枠において、ピンの中心軸と穴継ぎ手の穴中心軸をずらしてピンを挿入することで、パネルを連結するとともにピンの抜け防止を図る。【選択図】　　　　　図２
2004044329.tif 000002
【特許請求の範囲】
【請求項１】
４辺に継ぎ手構造を配設する長方形の土石中詰め組枠用パネルにおいて、他パネルと組合せる際に、別体の連結部材を用いてお互いに連結可能な２種類の継ぎ手構造が向かい合う辺にそれぞれ配設されていることを特徴とする土石中詰め組枠用パネル。
【請求項２】
４辺に継ぎ手構造を配設する長方形の土石中詰め組枠用パネルにおいて、他パネルと組合せる際に、別体の連結部材を用いてお互いに連結可能な２種類の継ぎ手構造を向かい合う短辺にそれぞれ配設し、前記２種類の継ぎ手構造が前記パネルの長辺に向かい合うように交互にｎ組（ｎは自然数）配設されていることを特徴とする土石中詰め組枠用パネル。
【請求項３】
パネルに配設した穴継ぎ手にピンを挿入することによって複数のパネルを連結する土石中詰め組枠用パネルにおいて、穴継ぎ手に２以上の穴が設置されていることを特徴とする土石中詰め組枠用パネル。
【請求項４】
前記パネルは、球状黒鉛鋳鉄材からなることを特徴とする請求項１乃至請求項３何れかに記載の土石中詰め組枠用パネル。
【請求項５】
請求項３に記載の前記パネルからなる土石中詰め組枠において、連結している穴継ぎ手の中心軸が同軸上にないパネル同士が棒状体により連結されていることを特徴とする土石中詰め組枠。
【請求項６】
パネルに配設した穴継ぎ手にピンを挿入することによって複数のパネルを連結する土石中詰め組枠において、ピンの中心軸と穴継ぎ手の穴中心軸がずれていることを特徴とする土石中詰め組枠。
【発明の詳細な説明】
【０００１】
【発明の属する技術分野】
本発明は、護岸、護床、魚道、魚礁などに使用され、砕石、または土砂などを収納する土石中詰め組枠用パネルおよび土石中詰め組枠に関する。
【０００２】
【従来の技術】
自然災害により河岸が崩壊するのを未然に防止する護岸や、河床洗掘を防止する護床向けの構造物としてコンクリートブロックなどのコンクリート製構造物が使用されてきた。しかしながら、コンクリート製構造物は、改正河川法等が推奨する河川の自然環境保護において、植生、水棲生物の育成には適していない。また護岸や護床は、コンクリートブロックの形成面に見られるような画一的な形ではなく多様な形状をしていることが自然本来の姿であることが指摘されている。このため、河川に草木や藻類などを発生、育成するように植生環境を保全し、これに水棲微小生物、魚類などが生息できるようにして、多種多様の生態系を形成するような護岸等の工法の開発が求められてきている。
【０００３】
生態系を形成する護岸等の工法として、鉄線籠を組枠とし、これに砕石を入れて河岸に設置し、これに土砂を堆積させる旧来工法が見直されている。しかし、この工法は土石を充填する際に充填質量に耐えられず鉄線籠が変形して土石が流出したり、急流部や洪水などで大きな水勢を受けた場合に鉄線籠が変形して土石が流出したり、鉄線籠の腐食が進行して強度が低下して一部が破損することで土石が流出したりするなど、組枠の耐久性や安定性が低い。また、鉄線籠は炭素量が低い軟鋼からなるので、炭素を好むバクテリアが表面に付着せず、漁礁として用いることができない。
【０００４】
これを改善しようと、特許第３０４９３５５号公報には、複数の平面枠同士を連結した護岸用等の組枠において、各平面枠と連結部を一体的に鋳造した鋳鉄材で形成すると共に、別部材の数種類のくさびを連結片として平面枠の連結部に打ち込んで連結する開示がある。この特許第３０４９３５５号公報に開示された組枠によれば、耐久性が著しく向上でき、現場での組み立て・施工を容易に行うことができ、生物が棲息するのに最適な環境を創り出せるとしている。
【０００５】
また別の特開２０００−２２０１２４号公報には、組枠の枠材であって、（ａ）略方形のパネル本体と、（ｂ）パネル本体に形成された遮土石部と、（ｃ）パネル本体の一方の垂直側面に配設された第１の連結部材と、（ｄ）パネル本体の他方の垂直側面に配設された第２の連結部材とからなり、パネル本体の垂直側面に配設された第１または第２の連結部材に、別のパネル本体を持ち上げて、別のパネル本体の垂直側面に配設された第１または第２の連結部材を挿入して組み立てる開示がある。この特開２０００−２２０１２４号公報の枠材によれば、施工現場に障害物が多くて、曲面状の法面を形成する必要がある場合に、現場の状況に適合させ変形して施工することが可能であり、連結強度が強く、連結材を不要として施工時に作業者が枠体を連結し忘れることのない組枠が得られるとしている。
【０００６】
【発明が解決しようとする課題】
組枠は、組枠下の地盤洗掘や河川の水面変動、水流等により中詰め土石が流出しないよう、底面や上面に底枠や蓋枠を設置することが望ましい。また、組枠の開き防止と強度保持のために土石中詰め空間を一定間隔で仕切る必要がある。しかしながら、特許第３０４９３５５号公報に開示の組枠は、底体（底枠）と蓋体（天井枠）を設けて用いてもよいとしているが、底体と蓋体の連結方法に関しては何ら具体的な記述はない。仮に底体と蓋体を設けるにしても、くさび締結では平面枠や連結片の種類が増えるために鋳造金型や製品の管理費用がかさむ。また、組枠（護岸用カゴ枠）内の仕切りをすべて平面枠によって構成するため、高コストとなる。一方、特開２０００−２２０１２４号公報に記載の組枠は、底枠と蓋枠を設置する構造になっておらず、また、組枠内を仕切るのにパネル本体を使用するため高コストになる。
【０００７】
本発明の目的は、上記課題に鑑みてなされたもので、底部と蓋部とを有し、構成部材の種類が少ない低コストの土石中詰め組枠を得ることにある。また、本発明の他の目的は組枠内の仕切りパネルを省くことが可能な土石中詰め組枠を得ることにある。
【０００８】
【課題を解決するための手段】
上記の目的を達成するために本発明に係る土石中詰め組枠用パネル（以下、単に「パネル」という）は、４辺に継ぎ手構造を配設する長方形の土石中詰め組枠用パネルにおいて、他パネルと組合せる際に、別体の連結部材を用いてお互いに連結可能な２種類の継ぎ手構造が向かい合う辺にそれぞれ配設されていることを特徴とする。
【０００９】
４辺に継ぎ手構造を配設する長方形のパネルにおいて、他パネルと組合せる際に、別体の連結部材を用いてお互いに連結可能な２種類の継ぎ手構造を長方形のパネルの向かい合う辺にそれぞれ配設することにより、パネルを配置する方向（パネルの向き）を同一にすることで、連結しようとする隣り合うパネル同士の辺には、連結可能な組合せとなる２種類の継ぎ手構造が必然的に配置されることになる。土石中詰め組枠（以下、単に「組枠」という）の組み立て作業において、連結しようとする隣り合うパネル同士の辺での継ぎ構造を連結不可能な組合せを廃除して、連結可能な組合せを選択することは、作業者に気苦労を強いるばかりか、パネルの取り回しに無駄な時間と労力を費やすこととなり、組み立て手順が複雑となる。本発明に係るパネルではパネルの向きを一定にするだけで連結可能な組合せとなる２種類の継ぎ手構造を配置できるので、作業者の気苦労を軽減し、組み立て手順が簡単になる。このことは、組枠の側壁などパネルの辺の延長方向にパネルを延設して連結していく場合のほか、組枠の側壁についてロ字状の４面にパネルを延設して連結する場合に有効であり、これらの場合、全てのパネルの向きを一定にすることで連結可能な継ぎ手構造の配置が容易に得られる。また、組枠の底部と蓋部とが連結される側壁のパネルの辺に、継ぎ手構造を配設することにより、底部と蓋部とを連結することが可能となる。これにより、底部と蓋部とを有する組枠を１種類のパネルで形成できるので、構成部材の種類が少ない低コストな組枠を得られる。
【００１０】
さらに本発明に係る土石中詰め組枠用パネルは、４辺に継ぎ手構造を配設する長方形のパネルにおいて、他パネルと組合せる際に、別体の連結部材を用いてお互いに連結可能な２種類の継ぎ手構造を向かい合う短辺にそれぞれ配設し、前記２種類の継ぎ手構造が前記パネルの長辺に向かい合うように交互にｎ組（ｎは自然数）配設されていることを特徴とする。
【００１１】
４辺に継ぎ手構造を配設する長方形のパネルにおいて、他パネルと組合せる際に、別体の連結部材を用いてお互いに連結可能な２種類の継ぎ手構造を長方形のパネルの向かい合う短辺にそれぞれ配設することにより、前述したようにパネルの向きを同一にすることで、連結しようとする隣り合うパネル同士の辺には、連結可能な組合せとなる２種類の継ぎ手構造が必然的に配置されることになるので、作業者の気苦労を軽減し、組み立て手順が簡単になる。
【００１２】
また、前記２種類の継ぎ手構造を前記パネルの長辺に向かい合うように交互にｎ組（ｎとは自然数である）配設することにより、長辺にｎ個の他のパネルの短辺を連結することが可能となる。側壁のパネルの長辺に底部のパネルや蓋部のパネルの短辺を連結する場合、側壁のパネルの長辺には２種類の継ぎ手構造を千鳥状に交互にｎ組配設しているので、底部、蓋部においても、そのパネルの向きが１８０°回転して交互に並べられることになる。従って、底部、蓋部においても、連結しようとする隣り合うパネル同士の長辺には、連結可能な組合せとなる２種類の継ぎ手構造が交互にｎ組配置されることになるので、底部、蓋部のパネルの長辺同士の連結が可能となる。これにより、底部と蓋部とを有する組枠を１種類のパネルにて形成できるので、構成部材の種類が少ない低コストな組枠を得られる。
【００１３】
さらに本発明に係る土石中詰め組枠用パネルは、パネルに配設した穴継ぎ手にピンを挿入することによって複数のパネルを連結する土石中詰め組枠用パネルにおいて、穴継ぎ手に２以上の穴が設置されていることを特徴とする。
【００１４】
穴継ぎ手に２以上の穴を設置すれば、パネルの連結方向を２以上の方向にすることが可能となる。また、穴の設置数分のパネルを連結できるので、複雑な構造の組枠を１種類のパネルにて低コストに得ることができる。例えば、穴継ぎ手に２個の穴を設置すれば、穴継ぎ手の１個の穴を、パネルの辺の延長方向へのパネルの連結に使い、残った穴継ぎ手の１個の穴を前記延長方向に対して、直角方向へのパネルの連結に使うことで３枚のパネルをＴ字状に連結するなど、パネルの連結方向を２方向に分岐することが可能となる。また、組枠の組み立て作業において、パネルの辺の延長方向と直角方向とで異なる穴を使うので、例えば、先に延長方向を連結し、その後、直角方向を連結したり、その逆の手順で連結するなど組み立て手順を自在にできる。
【００１５】
さらに本発明に用いられる土石中詰め組枠用パネルは、球状黒鉛鋳鉄材からなることが好ましい。パネルが球状黒鉛鋳鉄材であれば、護岸、漁礁等として設置した後に、パネル表面から光合成生物にとって必要な、栄養塩の成分であるＳｉや必須微量元素のＦｅなどの成分が溶出して、植物や魚を含めた多様な生物にとって有効な栄養水（ミネラル水）を創り出し、バクテリアが付着して水質を浄化し、また藻の繁殖を促進して生物が棲息するのに最適な環境となる。また、球状黒鉛鋳鉄材は、鋳型を用いて低コストで量産することができる。
【００１６】
さらに、本発明に係る土石中詰め組枠は、前記の穴継ぎ手に２以上の穴が設置されていることを特徴とする土石中詰め組枠用パネルからなる土石中詰め組枠において、連結している穴継ぎ手の中心軸が同軸上にないパネル同士が棒状体により連結されていることを特徴とする。
【００１７】
ここで、連結している穴継ぎ手の中心軸が同軸上にないパネル同士とは、組枠の側壁を構成し、▲１▼隣接せず向かい合う面に配置されるパネル同士と、▲２▼隣接して配置されるパネル同士の２通りを意味する。まず、前者▲１▼の隣接せず向かい合う面に配置されるパネル同士の連結について説明する。組枠の開き防止と強度確保のためには、土石中詰め空間を一定間隔でパネルからなる仕切り壁で仕切って組枠の向かい合う面のパネル同士を連結する構造がとられる。しかし、仕切り壁には組枠の開きを防止する機能と強度があればよく、パネルからなる仕切り壁を用いなくても、棒状体により連結することで仕切り壁の機能と強度を満足できる。これにより仕切りパネルを省くことが可能な組枠を得られる。また、仕切りパネルを省略することで低コストな組枠を得られる。
【００１８】
次に、後者▲２▼の隣接して配置されるパネル同士の連結について説明する。一般に、帯状に長い組枠を組み立てる場合、組枠の設置場所でパネルを連結しながら長い組枠を組み立てて護岸、漁礁等を構築するという工法がとられている。しかし、組枠を順序よく組み立ててゆく必要があり大幅な工期短縮は難しく、また、組枠の設置場所でこれを組み立てるためには、広い作業スペースを確保する必要があり、河川や海では水路の迂回や水のせき止めに多大な作業工数を要する。本発明に係る土石中詰め組枠によれば、隣接して配置される組枠を連結する際、組枠を構成するパネルに配設された穴継ぎ手の中心軸を、同軸上に配置しなくとも、棒状体によりパネル同士、いい換えれば組枠同士の連結が可能となる。従って、比較的小さな組枠を、予め組枠の設置場所以外の陸上などで組み立て、これを起重機で組枠の設置場所に吊り降ろしたり、積み上げたりする工法をとれる。これにより護岸、漁礁等の施工作業と組枠の組み立て作業とを並行して進行させることが可能となり、組枠の設置場所での広い作業スペースも不要となるので、大幅な工期短縮が可能となる。
【００１９】
棒状体としては、鉤状部を両端に配した構造とし、この両端の鉤状部をパネルに配設した穴継手に挿入することで、パネル同士を連結できる。棒状体の断面形状は、円、楕円、三角形、多角形の中実、中空、或はＬ字、Ｖ字、コの字、Ｕ字の何れにしてもよい。特にコストの面からは、一般に流通し、市販されている単一の外径からなる断面形状が略円形の構造用棒鋼を、所定長さに切断し、この両端を鉤状に屈曲して棒状体とすることが好ましい。また、パネルに配設した穴継ぎ手に２以上の穴を設置すれば、１の穴継ぎ手を用いて、組枠の向かい合う面のパネル同士を棒状体で連結して仕切りパネルを省くと同時に、組枠の隣り合うパネル同士をピンで連結して組枠を延設できるので、穴継ぎ手の数を増やす必要がなく低コストな組枠が得られる。
【００２０】
さらに本発明に係る土石中詰め組枠は、パネルに配設した穴継ぎ手にピンを挿入することによって複数のパネルを連結する土石中詰め組枠において、ピンの中心軸と穴継ぎ手の穴中心軸がずれていることを特徴とする。
【００２１】
パネルの連結を穴継ぎ手とピンによって行う場合、ピンは穴継ぎ手に挿入できるように、その外径を穴の内径より小径にした軸部と、挿入後ピンが抜け出ないようその外径を穴の内径より大径にした頭部とを備えていなければならない。さらに、地面と水平方向に挿入するピンが地盤の傾斜や振動でピンの頭部側に抜け出ないように、ピンの頭部とは反対の先端側を、ナットやスナップリング等のピン以外の構成部品を用いて固定したり、軸部にテーパーを施したピンを用いて、このピンを穴継ぎ手に挿入し、両者の摩擦により抜け防止を図らなくてはならない。このように小径と大径を有するピンや、軸部にテーパーを施したピンを成形することは、溶接、圧延、鋳造、鍛造等の加工法により可能であるが、何れもピンの機能に対して高コストとなる。また、抜け防止のためにナット等を用いることは構成部品の種類が増えコスト高になる。
【００２２】
一方、本発明に係る土石中詰め組枠は、一般に流通し、市販されている単一の外径からなる直線状の構造用棒鋼を、所定長さに切断しこれをピンとして用いる。そして、パネルの穴継ぎ手は、パネルの辺に角度をつけて配設したり、穴継ぎ手の穴を、その中心軸がパネルの辺の延長方向に対して、斜めや円弧状となるように開孔しておくことにより、連結するパネルの一方の穴継ぎ手の穴中心軸と、他方の穴継ぎ手の穴中心軸とをずらすことができる。このようにピンと穴継ぎ手とを構成して、直線状のピンを穴継ぎ手に挿入すれば、ピンの中心軸と穴継ぎ手の穴中心軸がずれているため、直線状のピンは屈曲しながら穴継ぎ手に挿入される。これにより、ピンの屈曲が抵抗となりピンの抜け防止を図ることができるとともに、パネル同士を連結して土石中詰め組枠を組み立てることができる。
【００２３】
また、前述した直線状の構造用棒鋼を切断前にくの字状に屈曲させる、或は、切断後にくの字状に屈曲させたものをピンとして用いることもできる。この場合、パネルの穴継ぎ手は、穴中心軸をずらすことなく配設、或は開孔する。くの字状のピンを穴中心軸が同軸上の穴継ぎ手に挿入すれば、ピンの中心軸と穴継ぎ手の穴中心軸がずれているため、ピンはくの字状から直線状になるように屈曲しながら穴継ぎ手に挿入される。これにより、ピンの屈曲が抵抗となりピンの抜け防止を図ることができるとともに、パネル同士を連結して土石中詰め組枠を組み立てることができる。このように本発明に係る土石中詰め組枠は、市販の安価な構造用棒鋼に、切断、或は切断と屈曲のみの加工を施したものをピンとして用いるので、構成部材の種類が少ない低コストな組枠が得られる。
【００２４】
【発明の実施の形態】
以下、本発明を実施の形態に基づき詳細に説明する。
（実施の形態１）
図１は、実施の形態１での本発明の土石中詰め組枠用パネル１であり、（ａ）は模式正面図、（ｂ）は２枚のパネル１を連結した状態を示す。パネル１は、長方形で、２種類の継ぎ手構造２、３を向かい合う辺に１組配設し、残りの辺に同じく向かい合うように１組配設している。そして継ぎ手構造２、３は円筒状の穴を有する構造としている。パネルの連結は、（ｂ）に示すように（ａ）のパネル１を２枚用い、同軸上に配置した２枚のパネル１の各々の継ぎ手構造２、３の円筒状の穴に別体の連結部材であるピン４を挿入することによって行う。パネル１を複数連結することで土石中詰め組枠を組み立てることができる。
【００２５】
図２は、実施の形態１での本発明の土石中詰め組枠用パネル１１ａ〜ｃであり、（ａ）は長辺に継ぎ手構造を２組配設した、（ｂ）は長辺に継ぎ手構造を３組配設した、（ｃ）は長辺に継ぎ手構造をｎ組配設した模式正面図である。パネル１１ａ〜ｃは、パネルを長方形とし、２種類の継ぎ手構造２、３を向かい合う短辺に１組配設し、向かい合う長辺に２〜ｎ組配設している。そして長辺における継ぎ手構造２、３は、長辺の延長方向に継ぎ手構造２、３を千鳥状に交互に配設している。また、継ぎ手構造２、３は円筒状の穴を有する構造としている。ここでは、パネルの連結は、図示しないが、図１（ｂ）と同様に、（ａ）〜（ｃ）のパネル１１ａ〜ｃの何れか１種類のパネルを２枚用いて、２枚のパネルを同軸上に配置し、各々の継ぎ手構造２、３の円筒状の穴に別体の連結部材であるピンを挿入することによって行う。パネル１１ａ〜ｃの何れか１種類のパネルを複数連結することで土石中詰め組枠を組み立てることができる。
【００２６】
実施の形態１で示したように、本発明のパネル１、１１ａ〜ｃを用いれば、底部と蓋部とを有する組枠を１種類のパネルで形成できるので、構成部材の種類が少ない低コストな組枠を得られる。なお、図１〜図２に例示したパネル１、１１ａ〜ｃは、継ぎ手構造２、３が円筒状の穴からなる例を示したが、継ぎ手構造２、３は必ずしも円筒状の穴である必要はなく、別体の連結部材を用いてお互いに連結可能であればいかなる構造であってもよい。
【００２７】
（実施の形態２）
図３は実施の形態２での本発明の土石中詰め組枠用パネル３１であり、（ａ）は模式正面図、（ｂ）は（ａ）の矢視Ａの平面図である。図４および図５は、実施の形態２での本発明の土石中詰め組枠であり、図４は１個の組枠の斜視説明図であり、図５は組枠を３個連結した状態での、（ａ）は斜視説明図、（ｂ）は組枠を曲線状に連結した状態を示す模式平面図である。
【００２８】
図３（ａ）に示すパネル３１は長方形で、球状黒鉛鋳鉄材からなり、別体の連結部材を用いてお互いに連結可能な２種類の継ぎ手構造３２、３３を、向かい合う短辺に１組配設し、向かい合う長辺に２組配設している。そして長辺における継ぎ手構造３２、３３は、長辺の延長方向に継ぎ手構造３２、３３を千鳥状に交互に配設している。また、継ぎ手構造３２、３３は円筒状の穴を有する構造（以下、「円筒状の穴を有する継ぎ手構造」を「穴継ぎ手」といい、継ぎ手構造と同一の符号を付けて説明する）としている。図３（ｂ）に拡大して示すように、パネル３１の短辺に配設した穴継ぎ手３２、３３には、それぞれ２の円筒穴Ｃ１、Ｃ２が開孔されている。短辺に配設した穴継ぎ手３２、３３の円筒穴Ｃ１、Ｃ２、および長辺に配設した穴継ぎ手３２、３３の円筒穴の内径は、後述する別体の連結部材であるピンや棒状体の外径、またはこれらの断面形状が円以外にあってはその断面での最大外寸法よりも僅かに大きな寸法にしておく。
【００２９】
図４に示すように組枠１０１は、図３に示したパネル３１と同一のパネルを複数用いて、組枠１０１の長辺の側壁を構成するパネル３１−１、３１−２、４１−１、４１−２と、図示しない組枠１０１の短辺の側壁を構成するパネルと、さらに必要に応じ、図示しない底部と蓋部とを構成するパネルとを、各パネルの辺に配設した穴継ぎ手が連結可能な組合せとなるよう配置し、穴継ぎ手の円筒状の穴に別体の連結部材であるピン４および棒状体５を挿入して連結することで、中空の構造物として組み立てられる。この組枠内に土石等を充填（中詰め）することによって護岸、護床、魚道、魚礁などが構築される。図４において、組枠１０１は、隣接して配置され、連結後の穴継ぎ手の中心軸が同軸にあるパネル３１−１、３１−２同士はピン４で連結し、一方、隣接せず向かい合う面に配置され、連結後の穴継ぎ手の中心軸が同軸にないパネル３１−１、４１−２同士は鉤状部を両端に配した棒状体５で連結している。なお、本実施の形態での組枠１０１は、説明の都合上、平面視で長方形の組枠について説明するが、本発明に係る組枠はこれに限定されるものでなく、例えば、平面視で組枠の長辺と短辺が等しい正方形であってもよい。
【００３０】
次にパネルの連結について説明する。まず、隣接して配置され、連結後の穴継ぎ手の中心軸が同軸にあるパネル３１−１と３１−２との連結は、各パネル３１−１、３１−２を接近させ、それぞれの穴継ぎ手３２−１、３３−１同士および穴継ぎ手３２−２、３３−２同士の円筒穴Ｃ１を略同軸上に配置し、この円筒穴Ｃ１に、ピン４ａ、４ｂを挿入して行う。パネル４１−１と４１−２との連結も、パネル３１−１、３１−２の連結と同様に、それぞれの穴継ぎ手４２−１、４３−１同士および穴継ぎ手４２−２、４３−２同士の円筒穴Ｃ１を略同軸上に配置し、この円筒穴Ｃ１に、ピン４ｃ、４ｄを挿入して行う。
【００３１】
一方、隣接せず向かい合う面に配置され、連結後の穴継ぎ手の中心軸が同軸にないパネル３１−１と４１−１との連結は、各パネル３１−１、４１−１を向かい合せ、それぞれの穴継ぎ手３２−１、４２−１同士の円筒穴Ｃ２の中心軸間の距離を、棒状体５の長手寸法Ｌ５となるよう配置し、この円筒穴Ｃ２に、棒状体５ａの鉤状部を挿入して行う。パネル３１−２と４１−２との連結も、パネル３１−１、４１−１の連結と同様に、それぞれの穴継ぎ手３３−１、４３−１同士の円筒穴Ｃ２の中心軸間の距離を、棒状体５の長手寸法Ｌ５となるよう配置し、この各円筒穴Ｃ２に、棒状体５ｂの鉤状部を挿入して行う。
【００３２】
組枠１０１は、これを組み立て後に内側に土石が詰められるので、組枠１０１の外側から内側に圧縮応力がかかっても、中詰めされた土石が抵抗し、棒状体５は圧縮応力に抗する力の負担が少ない。一方、組枠１０１の内側から外側に働く力は、土石の自重により側壁のパネルが外側へ開こうとする力で、棒状体５には引張り力が働く。この引張り力は、僅かであり、適切な強度設計により市販の安価な構造用棒鋼の中から選択して棒状体５としても十分な強度が確保され、組枠１０１の開きを防止することができる。
【００３３】
図４ではパネル３１、４１の短辺に配設した穴継ぎ手３２、３３、４２、４３のうち、図示で上方に配設した穴継ぎ手３２−１、３３−１、４２−１、４３−１を棒状体５で連結した例を示したが、これに加えて、図示で下方に配設した穴継ぎ手３２−２、３３−２、４２−２、４３−２も棒状体で連結すれば、或は、組枠１０１のコーナー部に位置する穴継ぎ手を利用して、パネル同士を組枠１０１の対角線状に棒状体で連結すれば、さらに高い強度を確保できる。また、図４では、組枠１０１の長辺の側壁を構成する向かい合う面に配置されたパネル同士を棒状体５で連結した例を示したが、これに加えて、組枠１０１の短辺の側壁を構成する向かい合う面に配置された図示しないパネル同士を棒状体で連結してもさらに高い強度が確保でき、組枠１０１の開きに抵抗することができる。棒状体が挿入される穴継ぎ手は、パネルの辺に加えて、パネル内の格子に配設してもよい。
【００３４】
実施の形態２での本発明の土石中詰め組枠１０１によれば、組枠として連結後の穴継ぎ手の中心軸が同軸にないパネル同士３１、４１を、棒状体５により連結するので、従来必要としていた仕切りパネルを省くことが可能な土石中詰め組枠が得られる。また、仕切りパネルを省略することで低コストな組枠となる。また、パネル３１、４１に配設した各穴継ぎ手３２、３３、４２、４３に２の円筒穴Ｃ１、Ｃ２を設置しているので、１の穴継ぎ手を用いて、組枠１０１の隣り合うパネル同士および向かい合う面のパネル同士を同時に連結できるので、穴継ぎ手の数を増やす必要がなく、より低コストな組枠が得られる。
【００３５】
なお、本実施の形態では、棒状体５の鉤状部を挿入する円筒穴Ｃ２とピン４を挿入する円筒穴Ｃ１とを１の穴継ぎ手に一体に形成した例を示したが、棒状体５の鉤状部を挿入する円筒穴Ｃ２を独立した１の穴継ぎ手に形成し、ピン４を挿入する円筒穴Ｃ１を１の穴継ぎ手に２以上形成してもよい。
【００３６】
また、穴継ぎ手には、２の円筒穴を設置しているので、円筒穴を棒状体５を挿入するために使用するのではなく、何れの円筒穴もパネルを連結するピン４を挿入するために使用することもできる。これにより、例えば、隣接して配置されるパネルを２枚として、１枚目のパネルは、穴継ぎ手の円筒穴Ｃ１を利用して、パネル３１−１、３１−２の長辺の延長方向に連結するとともに、２枚目のパネルは、同じ穴継ぎ手の円筒穴Ｃ２を利用して、前記延長方向に対して、直角方向へ向けて連結するなど、パネルの連結方向を２方向に分岐することができる。さらに、穴継ぎ手に２以上の円筒穴を設置すれば、パネルの連結方向を２以上の方向に分岐することが可能となり、穴の設置数分のパネルを連結できるので、複雑な構造の組枠を１種類のパネルで低コストに得ることができる。
【００３７】
本実施の形態では、パネルの短辺の穴継ぎ手にのみ２の円筒穴を設置した例を示したが、パネルの長辺の穴継ぎ手に２の円筒穴を設置してもよい。パネルの長辺の穴継ぎ手に２の円筒穴を設置することで、組枠を上方向、即ち、側壁の短辺の延長方向に延設する際、一方の円筒穴は短辺の延長方向へのパネルの連結に使用し、他方の円筒穴は前記延長方向に対して、直角方向へのパネルの連結に使用すれば、直角方向へ連結したパネルは、組枠の上下段での仕切りパネルとなり組枠の強度が確保される。また、魚道や漁礁を形成する場合など、部分的に土石を中詰めしない空間を形成するのが容易となる。
【００３８】
次に、図５を参照して、複数の土石中詰め組枠を連結する態様について説明する。図５（ａ）で組枠１０１は前述の図４で示した組枠１０１と同一であり、組枠１０２、１０３もそれぞれ組枠１０１と同様に長方形で、側壁、および必要に応じ底部と蓋部とを球状黒鉛鋳鉄材からなるパネルで構成している。
【００３９】
図５（ａ）で組枠１０１と組枠１０２との連結は、隣接して配置され、連結後の穴継ぎ手の中心軸が同軸上にない、組枠１０１を構成するパネル３１−２と、組枠１０２を構成するパネル３１−３とを鉤状部を両端に配した別体の連結部材である棒状体６で連結している。具体的には、予め組み立てた組枠１０１と組枠１０２とを施工現場の所定の位置に設置し、パネル３１−２、３１−３のそれぞれの穴継ぎ手５２−１、５３−１同士および穴継ぎ手５２−２、５３−２同士の円筒穴Ｃ２の中心軸間の距離と等しい長手寸法Ｌ６を有する棒状体６ａ、６ｂの鉤状部を、この円筒穴Ｃ２に挿入して連結される。棒状体６は、構造用棒鋼を、（円筒穴Ｃ２の中心軸間の距離ｐ）＋（円筒穴Ｃ２の円筒長さｈの２倍）を僅かに超える長さに切断し、その中央に円筒穴Ｃ２の中心軸間の距離ｐ（長手寸法Ｌ６と等しい）を残して、両端を屈曲させ、鉤状部を形成すればよい。
【００４０】
パネル４１−２と４１−３との連結も、パネル３１−２、３１−３の連結と同様に、それぞれの穴継ぎ手６２−１、６３−１同士および穴継ぎ手６２−２、６３−２同士の円筒穴Ｃ２の中心軸間の距離と等しい長手寸法を有する棒状体６ｃ、６ｄの鉤状部を挿入して行う。組枠１０２と組枠１０３との連結も、上述の組枠１０１と組枠１０２との連結と同様に、隣接して配置され、連結後の穴継ぎ手の中心軸が同軸上にない、組枠１０２を構成するパネルと組枠１０３を構成するパネル同士とを棒状体６ｅ、６ｆ、６ｇ、６ｈで連結されている。なお、上述の態様では、それぞれの穴継ぎ手の円筒穴Ｃ２同士に棒状体６の鉤状部を挿入する例を示したが、一方の穴継ぎ手の円筒穴Ｃ２と他方の穴継ぎ手の円筒穴Ｃ１に棒状体６の鉤状部を挿入してもよいし、円筒穴Ｃ１同士に棒状体６の鉤状部を挿入してもよい。この場合、棒状体６の長手寸法Ｌ６は、挿入する円筒穴の組合せに応じて、その中心軸間の距離に等しくすることはいうまでもない。また、前述の図４のパネル同士の連結に示したように、穴継ぎ手の円筒穴に棒状体６に替えて、ピンを挿入して組枠同士を連結することも可能である。
【００４１】
図５（ａ）では、１段で３個の組枠を、組枠の長辺の延長方向に延設した態様を例示したが、複数の組枠を施工現場に合せて水平方向および／または上方向に延設して、組枠内に土石を中詰めすれば、護岸、護床、魚道、魚礁などを構築することができる。
【００４２】
本実施の形態の組枠は、海岸線や河川の護岸など屈曲した施工現場の曲線に沿って曲線状に配置することもできる。例えば、図５（ｂ）に示すように、要求される施工現場の曲線に沿って、組枠１１１〜１１３を設置し、図５（ａ）で詳述したように、隣接して配置された組枠を構成するパネルの穴継ぎ手同士を、棒状体１６ａ〜１６ｃ、およびピン１４で連結することで曲線状に配置される。棒状体１６ａ〜１６ｃの各長手寸法を変更することで、任意の曲線に対応することができる。このように本実施の形態の組枠は、施工現場の状況に応じて、直線状は勿論のこと、曲線状の組枠であっても容易かつ効率的に形成することができる。
【００４３】
本実施の形態によれば、予め組み立てた組枠を、その設置場所に起重機で吊り降ろしたり、積み上げたりする工法をとれるので、大幅な工期短縮が可能である。予め組み立てた組枠に土石を中詰めしておくか否かは、施工工程、施工現場の状況、起重機の吊り上げ能力などから決定すればよい。予め組み立てた組枠に土石を中詰めせず、設置後に土石を中詰めする場合、組枠の側壁を構成するパネルを省略することもできるので低コストな組枠が得られる。
【００４４】
このよに、実施の形態２のパネルを用いれば、底部と蓋部とを有する組枠を１種類のパネルで形成できるので、構成部材の種類が少ない低コストな組枠を得られる。また、実施の形態２の組枠によれは、組枠内の仕切りパネルを省くことが可能な土石中詰め組枠が得られる。しかも、パネル同士および組枠同士を、穴継ぎ手に設置した２以上の穴と、安価な構造用棒鋼からなる別体の連結部材であるピンや棒状体により連結するので、構成部材の種類が少ない低コストな土石中詰め組枠となる。
【００４５】
（実施の形態３）
図６は、実施の形態３での本発明の土石中詰め組枠の、パネルの連結を拡大して説明する模式正面図であり、（ａ）は直線状のピンを屈曲して連結する状態、（ｂ）はくの字状のピンを屈曲して連結する状態を示す。
【００４６】
図６（ａ）で組枠を構成するパネル９１−１、９１−２は、球状黒鉛鋳鉄材からなり、ピン９４ａは、所定長さに切断した直線状の構造用棒鋼からなる。穴継ぎ手９２ａはパネル９１−１の辺に、また、穴継ぎ手９３ａはパネル９１−２の辺に一体に配設されている。そして、穴継ぎ手９２ａの穴中心軸と穴継ぎ手９３ａの穴中心軸とが一直線にならないよう各穴継ぎ手の穴中心軸は、例えば、パネルの辺の延長方向（図の上下方向）に対してそれぞれ角度θ１、θ２をつけて配設されている。このように構成した穴継ぎ手９２ａと穴継ぎ手９３ａとに、直線状のピン９４ａを挿入すると、ピン９４ａの中心軸と穴継ぎ手９２ａ、９３ａの穴中心軸がずれているため、図６（ａ）の右図に示すように、直線状のピン９４ａは穴継ぎ手９２ａ、９３ａの内壁と接触しつつ、屈曲しながら穴継ぎ手９２ａ、９３ａに挿入される。ピン９４ａの屈曲は弾性変形をともなうので、挿入されたピン９４ａは、直線状に戻ろうとして穴継ぎ手９２ａ、９３ａの内壁を押圧する。この押圧が抵抗となってピン９４ａは穴継ぎ手９２ａ、９３ａから抜けず、また穴継ぎ手９２ａ、９３ａ同士が連結される。
【００４７】
図６（ｂ）で組枠を構成するパネル９１−３、９１−４は、球状黒鉛鋳鉄材からなり、ピン９４ｂは、所定長さに切断した後、くの字状に屈曲した構造用棒鋼からなる。穴継ぎ手９２ｂはパネル９１−３の辺に、また、穴継ぎ手９３ｂはパネル９１−４の辺に一体に配設されている。そして、穴継ぎ手９２ｂの穴中心軸と穴継ぎ手９３ｂの穴中心軸とが同軸上、即ち一直線になるよう各穴継ぎ手の穴中心軸は、例えば、パネルの辺の延長方向（図の上下方向）に対して平行に配設されている。このように構成した穴継ぎ手９２ｂと穴継ぎ手９３ｂとに、くの字状のピン９４ｂを挿入すると、ピン９４ｂの中心軸と穴継ぎ手９２ｂ、９３ｂの穴中心軸がずれているため、図６（ｂ）の右図に示すように、くの字状のピン９４ｂは穴継ぎ手９２ｂ、９３ｂの内壁と接触しつつ、くの字状から直線状になるように屈曲しながら穴継ぎ手９２ｂ、９３ｂに挿入される。ピン９４ｂの屈曲は弾性変形をともなうので、挿入されたピン９４ｂは、穴継ぎ手に挿入前のくの字状に戻ろうとして穴継ぎ手９２ｂ、９３ｂの内壁を押圧する。この押圧が抵抗となってピン９４ｂは穴継ぎ手９２ｂ、９３ｂから抜けず、また穴継ぎ手９２ｂ、９３ｂ同士が連結される。
【００４８】
ピンを穴継ぎ手に挿入する作業は、特別な工具を用いることなく、手ハンマーで叩き込むだけですむので、僅かな労力で、容易かつ短時間で完了する。直線状および／またはくの字状のピンを用いて複数のパネルを連結して、複数の組枠を組み立て、施工現場に合せて水平方向および／または上方向に延設して、組枠内に土石を中詰めすれば、護岸、漁礁等を構築することができる。
【００４９】
実施の形態３の組枠によれは、パネル同士および組枠同士を、穴継ぎ手と、市販の安価な構造用棒鋼からなる直線状および／またはくの字状のピンにより連結するので、構成部材の種類が少ない低コストな土石中詰め組枠が得られる。
【００５０】
なお、実施の形態１〜３のパネルを球状黒鉛鋳鉄材とすれば、鋳造によりパネルと穴継ぎ手を含む継ぎ手構造を一体に形成できるとともに、鋳型を用いて低コストに量産することができ、また、護岸、漁礁等として設置した後、その成分が溶出して生物が棲息するのに最適な環境を創り出せるので好ましい。特に、パネルの穴継ぎ手をパネルの辺に角度をつけて配設したり、穴継ぎ手の穴を、その中心軸がパネルの辺の延長方向に対して、斜めや円弧状に開孔する場合、穴継ぎ手の配設の角度を維持しながら溶接等で接合したり、斜めや円弧状の穴をドリル等により加工することは困難で、製作工数とコストの増加を招く。鋳造で中子を用いて形成すれば、穴継ぎ手の角度をつけての配設や、斜めや円弧状の穴の開孔を、容易に、しかもパネルと一体に成形することができる。
【００５１】
【実施例】
（実施例１）
実施の形態１で、図１（ａ）に示すパネル１の、長辺の長さを４６０ｍｍ、短辺の長さを２１０ｍｍとし、長辺の向かい合う辺の継ぎ手構造２、３の円筒状の穴中心間寸法Ｈを２５０ｍｍとし、短辺の向かい合う辺の継ぎ手構造２、３の円筒状の穴中心間寸法Ｗを５００ｍｍとし、継ぎ手構造２の円筒状の穴を、内径１８ｍｍ、長さ４０ｍｍとし、継ぎ手構造３の円筒状の穴を、内径１８ｍｍ、長さを８０ｍｍとして、（ＪＩＳ）ＦＣＤ４５０相当の球状黒鉛鋳鉄材からなるパネル１を製作した。同一のパネル１を１２枚準備し、別体の連結部材を用いて連結し、底部と蓋部を有する縦５００ｍｍ×横５００ｍｍ×奥行５００ｍｍの１個の組枠が得られた。
【００５２】
また、実施の形態１で、図２（ａ）に示すパネル１１ａの長辺の長さ９０６ｍｍ、短辺の長さ４６０ｍｍとし、長辺の向かい合う辺の継ぎ手構造２、３の円筒状の穴中心間寸法Ｈを５００ｍｍ、短辺の向かい合う辺の継ぎ手構造２、３の円筒状の穴中心間寸法Ｗを１０００ｍｍとし、継ぎ手構造２の円筒状の穴を、内径１８ｍｍ、長さ４０ｍｍとし、継ぎ手構造３の円筒状の穴を、内径１８ｍｍ、長さを８０ｍｍとして、（ＪＩＳ）ＦＣＤ４５０相当の球状黒鉛鋳鉄材からなるパネル１１ａを製作した。
【００５３】
図７は、実施の形態１のパネル１１ａを用いて組枠を組み立てる場合の、組枠の模式展開図である。図７においては、継ぎ手構造の連結関係を理解しやすくするため、パネル１１ａを、継ぎ手構造２を黒丸（●）で、継ぎ手構造３を白丸（○）で示すとともに簡略に表現し、またパネルの天地（上下方向）の識別のため記号Ａで表現している。図７（ａ）〜（ｄ）は、それぞれ異なる４種類の組枠２０１〜２０４を示す。
【００５４】
何れの組枠も前述した寸法からなる同一のパネル１１ａを複数準備し、別体の連結部材を用いて連結し、底部７、側壁８、蓋部９を有する組枠を形成した。その結果、図７（ａ）の組枠２０１は、パネル１１ａを８枚用いて、縦５００ｍｍ×横１０００ｍｍ×奥行１０００ｍｍの、（ｂ）の組枠２０２は、パネル１１ａを１４枚用いて、縦５００ｍｍ×横１０００ｍｍ×奥行２０００ｍｍの、（ｃ）の組枠２０３は、パネル１１ａを１４枚用いて、縦５００ｍｍ×横２０００ｍｍ×奥行１０００ｍｍの、（ｄ）の組枠２０４は、パネル１１ａを２４枚用いて、縦５００ｍｍ×横２０００ｍｍ×奥行２０００ｍｍの、１種類のパネル１１ａからなる組枠が得られた。
【００５５】
（実施例２）
実施の形態２で、図３（ａ）に示すパネル３１の長辺の長さ９０６ｍｍ、短辺の長さ４６０ｍｍ、長辺の向かい合う辺の穴継ぎ手３２、３３の円筒穴中心間寸法Ｈ５００ｍｍ、短辺の向かい合う辺の穴継ぎ手３２、３３のそれぞれの円筒穴Ｃ１同士の中心間寸法Ｗ１０００ｍｍ、円筒穴Ｃ１、Ｃ２を含む全ての穴継ぎ手３２、３３の円筒穴を、内径１８ｍｍ、長さ４０ｍｍとして、（ＪＩＳ）ＦＣＤ４５０相当の球状黒鉛鋳鉄材からなるパネル３１を製作した。さらに、パネル３１の細部の寸法としては、穴継ぎ手３２での向かい合う穴継ぎ手（短辺のみ符号を付けた穴継ぎ手３２−１、３２−２）の端面間の距離Ｓ２を２００ｍｍとし、穴継ぎ手３３での向かい合う穴継ぎ手（短辺のみ符号を付けた穴継ぎ手３３−１、３３−２）の端面間の距離Ｓ３を１１０ｍｍとし、図３（ｂ）に示す円筒穴Ｃ１、Ｃ２の中心間距離を３１ｍｍ、円筒穴Ｃ１、Ｃ２から穴継ぎ手の外形までの肉厚ｔを６ｍｍとした。また、パネル３１の主要肉厚は１２ｍｍ〜２１ｍｍとした。同一のパネル３１を１６枚準備し、一方、直径１６ｍｍの構造用棒鋼を全長２４００ｍｍで切断し、両端を端面から２００ｍｍのところで折り曲げ鉤状部を形成し、長手寸法Ｌ５を２０００ｍｍとした棒状体５を２本準備した。パネル３１を別途準備したピン４を用いて連結し、蓋部を除く側壁と底部とからなる縦５００ｍｍ×横２０００ｍｍ×奥行２０００ｍｍの１個の組枠１０１を組み立てた。この際、組枠１０１の短辺で向いあう面に配設された穴継ぎ手３２−１、４２−１同士、および穴継ぎ手３３−１、４３−１同士の円筒穴Ｃ２の中心軸間距離を２０００ｍｍとし、準備した棒状体５を挿入した。その後、組枠１０１内に土石を充填したが、側壁のパネルが外側へ開くことがなく強固な組枠が得られた。
【００５６】
（実施例３）
実施の形態３で、図６（ｂ）に示す穴継ぎ手９２ａ、９３ａを、パネル９１−１、９１−２の辺の延長方向に対して、それぞれ角度θ１、θ２を１０°として配設したパネル９１−１、９１−２を、（ＪＩＳ）ＦＣＤ４５０相当の球状黒鉛鋳鉄材で形成した。直径１６ｍｍの構造用棒鋼を長さ９０ｍｍで切断し直線状のピン９４ａを、穴継ぎ手９２ａ、９３ａに手ハンマーで叩き込んで挿入したところ、直線状のピン９４ａは、屈曲して穴継ぎ手９２ａ、９３ａに挿入され、抜けることなく、またパネル９１−１、９１−２同士を確実に連結できた。同様にして複数のパネルを連結して組枠を組み立てることで、構成部材の種類が少ない組枠が得られた。
【００５７】
【発明の効果】
以上、本発明によれば、底部と蓋部とを有し、構成部材の種類が少ない低コストの土石中詰め組枠を得ることができる。また、仕切りパネルを省くことが可能な土石中詰め組枠を得ることができる。
【図面の簡単な説明】
【図１】実施の形態１での土石中詰め組枠用パネルであり、（ａ）は模式正面図、（ｂ）は２枚のパネルを連結した状態を示す。
【図２】実施の形態１での土石中詰め組枠用パネルであり、（ａ）は長辺に継ぎ手構造を２組配設した、（ｂ）は長辺に継ぎ手構造を３組配設した、（ｃ）は長辺に継ぎ手構造をｎ組配設した、模式正面図である。
【図３】実施の形態２での土石中詰め組枠用パネルであり、（ａ）は模式正面図、（ｂ）は（ａ）の矢視Ａの平面図である。
【図４】実施の形態２での土石中詰め組枠であり、１個の組枠の斜視説明図である。
【図５】実施の形態２での土石中詰め組枠を３個連結した状態での、（ａ）は斜視説明図、（ｂ）は組枠を曲線状に連結した状態を示す模式平面図である。
【図６】実施の形態３での土石中詰め組枠の、パネルの連結を拡大して説明する模式正面図であり、（ａ）は直線状のピンを屈曲して連結する状態、（ｂ）はくの字状のピンを屈曲して連結する状態を示す。
【図７】実施例１の４種類の組枠の模式展開図である。
【符号の説明】
１、１１ａ、１１ｂ、１１ｃ、３１、３１−１、３１−２、３１−３、３１−４、４１、４１−１、４１−２、４１−３、９１−１、９１−２、９１−３、９１−４：土石中詰め組枠用パネル
２、３：継ぎ手構造
３２、３３、４２、４３、５２、５３、６２、６３、９２ａ、９２ｂ、９３ａ、９３ｂ：穴継ぎ手
４、１４、９４ａ、９４ｂ：ピン
５、６、１６ａ、１６ｂ、１６ｃ：棒状体
７：底部
８：側壁
９：蓋部
１０１、１０２、１０３、１１１、１１２、１１３、２０１、２０２、２０３、２０４：組枠
Ｃ１、Ｃ２：円筒穴
Ｌ５、Ｌ６：棒状体の長手寸法
ｐ：円筒穴の中心軸間の距離
ｈ：円筒穴の円筒長さ
ｔ：肉厚
θ１、θ２：角度
Ｈ：パネルの長辺の向かい合う辺の継ぎ手構造の穴中心間寸法
Ｗ：パネルの短辺の向かい合う辺の継ぎ手構造の穴中心間寸法
【図１】
2004044329.tif 000003
【図２】
2004044329.tif 000004
【図３】
2004044329.tif 000005
【図４】
2004044329.tif 000006
【図５】
2004044329.tif 000007
【図６】
2004044329.tif 000008
【図７】
2004044329.tif 000009